(57)【要約】      （修正有）【課題】冷凍機用エジェクタを提供する。【解決手段】冷凍機用エジェクタ１０は、導管に連通する着座部を備える隔室を有する本体１１と、着座部に結合され得るノズルであって、ノズルは、冷媒流体の通過のための内部穴を有している、ノズルと、穴を閉鎖するように穴に結合され得る端部を有するシャッタと；冷媒流体の流量を変調させるためのシャッタの駆動グループ１７と、コネクタ要素であって、コネクタ要素は、駆動グループおよびノズルに固定され得り、本体に対して自律的なカートリッジ内臓体１９を共に形成するようになっている、コネクタ要素と、を備える。エジェクタは、カートリッジ内臓体を本体に固定することができる結合手段を備え、そこで固定具を取り外すことおよび密閉することができる。【選択図】図１
2017198209.tif 000002
【特許請求の範囲】
【請求項１】
冷凍機用エジェクタ（１０）であって、前記エジェクタ（１０）は、
−  本体（１１）であって、前記本体（１１）は、冷媒流体の通過のための導管（１２）によって交差されており、前記本体（１１）は、隔室（１３）を有しており、前記隔室（１３）は、前記導管（１２）に連通する着座部（１３ａ）、および、冷媒流体の入口のための口部（１４）を備えている、本体（１１）と、
−  前記着座部（１３ａ）に結合されているノズル（１５）であって、前記ノズル（１５）は、前記冷媒流体の通過のための内部穴（１５ａ）を有している、ノズル（１５）と、
−  前記穴（１５ａ）を閉鎖するように前記穴（１５ａ）と結合可能な端部（１６ａ）を有するシャッタ（１６）と、
−  前記シャッタ（１６）に接続可能な駆動グループ（１７）であって、前記駆動グループ（１７）は、前記ノズル（１５）の前記穴（１５ａ）に対して前記シャッタ（１６）を移動させることができ、冷媒流体の流量を変調させるために、前記シャッタ（１６）によって前記穴（１５ａ）を調整可能に塞ぐようになっており、前記冷媒流体は、使用時に前記口部（１４）から来て、前記ノズル（１５）を介して前記本体（１１）の前記導管（１２）の中へ導入される、駆動グループ（１７）と、
を備える、エジェクタ（１０）であって、
前記エジェクタ（１０）は、コネクタ要素（１８）を備えており、前記コネクタ要素（１８）は、前記駆動グループ（１７）および前記ノズル（１５）に固定され得るかまたは固定されており、前記本体（１１）に対して自律的なカートリッジ内臓体（１９）を共に形成するようになっており、
前記エジェクタ（１０）が、前記カートリッジ内臓体（１９）を前記本体（１１）に固定可能である結合手段（２０ａ、２０ｂ）を備え、そこで固定具を取り外すことおよび密閉することができることを特徴とする、エジェクタ（１０）。
【請求項２】
前記コネクタ要素（１８）が、
−  前記駆動グループ（１７）に結合可能な接続部（１８ａ）と、
−  前記穴（１５ａ）に対して中心を合わせて、前記ノズル（１５）に対して前記シャッタ（１６）をガイドすることができる支持部（１８ｂ）と、
−  前記接続部（１８ａ）と前記支持部（１８ｂ）とを所定の相対位置に保持するように、前記接続部（１８ａ）を前記支持部（１８ｂ）に強固に接続する接合部（１８ｃ）と、
を備えることを特徴とする、請求項１に記載のエジェクタ（１０）。
【請求項３】
前記コネクタ要素（１８）が、自由通路を有するように構成されており、前記自由通路は、前記口部（１４）に向かっておよび前記穴部（１５ａ）に向かって開口しており、前記口部（１４）から来て前記ノズル（１５）の前記穴（１５ａ）に導かれる冷媒流体によって交差されることができることを特徴とする、請求項１または２に記載のエジェクタ（１０）。
【請求項４】
前記駆動グループ（１７）が、前記ノズル（１５）の前記穴（１５ａ）が延びる動作方向（Ａ）に沿って、前記シャッタ（１６）を移動させるように構成されており、前記コネクタ要素（１８）が、少なくとも１つのブラケット（２１）を備えており、前記少なくとも１つのブラケット（２１）は、前記接続部（１８ａ）から前記支持部（１８ｂ）へ、前記動作方向（Ａ）に沿って延びていることを特徴とする、請求項３に記載のエジェクタ（１０）。
【請求項５】
前記接合部（１８ｃ）が、２つのブラケット（２１）を備えており、前記２つのブラケット（２１）は、直線状であり、前記シャッタ（１６）のステム（１６ｂ）に対して反対側に位置しており、前記ブラケット（２１）は、前記カートリッジ内臓体（１９）が前記本体（１１）に接合されたときに、使用時に前記口部（１４）から前記ノズル（１５）に向かって流れる前記冷媒流体の流体力学的損失を最小限に抑えるために、前記口部（１４）の中心軸に対して横方向に位置することを特徴とする、請求項３に記載のエジェクタ（１０）。
【請求項６】
前記結合手段（２０ａ、２０ｂ）が、
−  前記ノズル（１５）を前記着座部（１３ａ）に密閉して結合させるように構成されている第１の結合手段（２０ａ）と、
−  前記口部（１４）が、使用時に、前記動作方向（Ａ）に沿って、前記接続部（１８ａ）と前記ノズル（１５）との間の中間である位置にあるように、前記接続部（１８ａ）を前記本体（１１）に密閉して結合させるように構成されている第２の結合手段（２０ｂ）と、
を備えることを特徴とする、請求項１〜５のいずれか１項に記載のエジェクタ（１０）。
【請求項７】
前記結合手段（２０ａ、２０ｂ）が、前記本体（１１）上および前記カートリッジ内臓体（１９）上に設けられたセンタリング部品を備え、前記センタリング部品が、相互に相補的であり、前記カートリッジ内臓体（１９）が前記本体（１１）と組み立てられたときに、それらの相互位置が所定の公差により定められるように構成されていることを特徴とする、請求項６に記載のエジェクタ（１０）。
【請求項８】
前記本体（１１）が、
−  前記隔室（１３）が画定された第１の構成要素（１１ｃ）と、前記冷媒流体の入口開口部（１２ｃ）を備える、前記導管（１２）の第１の部分（１２ａ）と、
−  前記導管（１２）の第２の部分（１２ｂ）が画定された前記第１の構成要素（１１ｃ）に密閉結合する第２の構成要素（１１ｄ）と、
を備え、
前記第２の部分（１２ｂ）が、前記冷媒流体のための出口開口部（１２ｄ）を備えることを特徴とする、請求項１〜７のいずれか１項に記載のエジェクタ（１０）。
【請求項９】
前記構成要素（１１ｃおよび１１ｄ）の一方は、前記構成要素（１１ｃ、１１ｄ）の他方の一部である雄型コネクタ（２２）に結合可能な雌型コネクタ（２１）を有しており、前記コネクタ（２１、２２）が、結合時、前記導管（１２）の前記第１の部分（１２ａ）と前記第２の部分（１２ｂ）とが所定の幾何公差を考慮するように整合されるように構成されることを特徴とする、請求項８に記載のエジェクタ（１０）。
【請求項１０】
前記導管（１２）が、前記導管（１２）の前記第２の部分（１２ｂ）および前記導管（１２）の前記第１の部分（１２ａ）に存在する動作セクションを備え、前記第１の部分（１２ａ）は、前記ノズル（１５）の前記着座部（１３ａ）から前記導管（１２）の前記第２の部分（１２ｂ）まで延在しており、前記動作セクションが、前記着座部（１３ａ）から前記出口開口部（１２ｄ）まで直線幾何学軸に沿って延在し、前記雄型コネクタ（２２）には、前記幾何学軸と同軸の円筒カラー（２２ａ）が設けられており、前記雌型コネクタ（２１）には、円筒開口部（２１ａ）が設けられており、前記円筒開口部（２１ａ）は、前記円筒カラー（２２ａ）を挿入部として受け入れることができ、また、前記第１および第２の構成要素（１１ｄ）内でそれぞれ画定される前記導管（１２）の前記動作セクションの部分間で同軸拘束を画定するために、前記幾何学軸と同軸であることを特徴とする、請求項９に記載のエジェクタ（１０）。
【発明の詳細な説明】
【技術分野】
【０００１】
本発明は、冷凍機用エジェクタに関する。
【０００２】
特に、本発明は、冷凍機の冷凍回路における冷媒流体の流量を調整するためのエジェクタに関する。
【０００３】
したがって、本発明は、冷凍機用の流量調節可能なエジェクタの分野に関する。
【背景技術】
【０００４】
現在、この分野では、入口開口部と出口開口部との間に延在する冷媒流体の通過のための内部導管を有する本体が設けられた、エジェクタが知られている。
【０００５】
導管は、収束−発散導管を形成するような輪郭にされた動作部分を備える。
【０００６】
隔室がノズルのために本体の中に含まれ、この隔室は、エジェクタの導管の中に面する着座部を有しており、ノズルが着座部に挿入されたときに、ノズルが冷媒流体の流れを収束−発散導管の中へと導くことができるようになっている。
【０００７】
また、隔室は、ノズルが着座部に係合すると、口部を介して導入された流体がノズルを通って本体の内部導管に向かって流れることができるように配置された、冷媒流体の導入のための口部を有する。
【発明の概要】
【課題を解決するための手段】
【０００８】
この目的のために、ノズルは貫通穴を有し、エジェクタは、開口位置と閉鎖位置との間で移動可能にノズルに対して支持されたシャッタを備え、シャッタから解放された穴の部分を調整し、流れ得る流体の量を調節する。
【０００９】
この従来のエジェクタの構造は、そこに単一の本体を形成するようにノズルを本体内に固定することを含む。
【００１０】
ノズルに対する動きについてシャッタをガイドするための支持体が含まれ、この支持体は、ノズルと本体とを一体に形成するようにノズルの内部に安定して固定される。
【００１１】
代わりに、シャッタは、本体へ固定されるおよび本体から取り外されることが可能な駆動グループに接続される。
【００１２】
この従来のエジェクタの問題点は、最初の取り付け時およびメンテナンスの際の両方において、ノズルの内部の支持体にシャッタを正しく挿入することが容易ではなく、エジェクタの本体からノズルの取り出しも厄介であることである。
【００１３】
さらに、構造に関しては、ノズル内のシャッタの動きにおける正確で精密な位置および信頼性を保証するために、形状および寸法の両方において厳密な公差が要求される。
【００１４】
本発明の根底にある問題は、エジェクタの構造を単純化してメンテナンスをより容易かつより安全にすることである。
【００１５】
本発明の主な目的は、前述した冷凍機用エジェクタの既知の欠点を解消して上記問題点を解決した冷凍機用エジェクタを提供することである。
【００１６】
さらにこの目的のために、本発明は、シャッタとノズルとの非常に長い時間にわたる効率的な整合を維持する冷凍機用のエジェクタを開示する。
【００１７】
本発明のさらなる目的は、従来技術のエジェクタの精度を維持しながら、要求される作業動作がより簡単で、また作業動作の実施がより経済的でもある冷凍機のエジェクタを提供することである。
【００１８】
本発明のさらなる目的は、エジェクタの効果的で耐久性のある密閉を保証するように、組み立ておよび分解が容易なエジェクタを提供することである。
【００１９】
この課題、ならびに以下でより完全に示すこれらおよび他の目的は、添付の請求項１に記載の冷凍機用エジェクタによって達成される。
【００２０】
本発明による冷凍機用エジェクタの詳細な特徴は、対応する従属請求項に記載されている。
【００２１】
本発明のさらなる特徴および利点は、添付図面の非限定的な例として示される、本発明による冷凍機用のエジェクタの好ましいが限定的ではない実施形態の説明からより完全に明らかになるであろう。
【図面の簡単な説明】
【００２２】
【図１】本発明によるエジェクタの斜視図である。
【図２】図１のエジェクタの構成要素を斜視図で示す。
【図３】図２の構成要素がエジェクタの残りの部分から分離されている図１のエジェクタの上方からの平面図である。
【図４】図２の構成要素の側面図である。
【図５】図３のＶ−Ｖ平面に沿って切断した図３に見える２つの部分のうちの１つを示す。
【図６】図３のＶ−Ｖ平面に沿って切断した図３に見える２つの部分のうちの１つを示す。
【図７】図１のエジェクタを形成するために組み立てられた図５および図６の部品を示す。
【発明を実施するための形態】
【００２３】
引用された図面を特に参照すると、参照番号１０は、その全体において、冷凍機用のエジェクタを示し、本質的に伝統的な方法で、このエジェクタは、
−  本体１１であって、本体１１は、冷媒流体の通過のための導管１２によって交差されており、本体１１は、隔室１３を有しており、隔室１３は、導管１２に連通する着座部１３ａ、および、冷媒流体の入口のための口部１４を備えている、本体１１と、
−  着座部１３ａに結合され得るノズル１５であって、ノズル１５は、冷媒流体の通過のための、好ましくは直線状で発散する内部穴１５ａを有している、ノズル１５と、
−  端部１６ａの挿入に続いて穴１５ａを徐々に閉鎖するように穴１５ａと結合可能な、好ましくは先鋭な端部１６ａを有するシャッタ１６と、
−  シャッタ１６に接続可能な駆動グループ１７であって、駆動グループ１７は、穴１５ａに対してシャッタ１６を移動させることができ、冷媒流体の流量を変調させるために、穴１５ａを調整可能に塞ぐようになっており、冷媒流体は、使用時に口部１４から来て、ノズル１５に導かれ、ノズル１５を介して本体１１の導管１２の中へ導入されるようになっている、駆動グループ１７と、
を備える。
【００２４】
本発明におけるエジェクタ１０の特別な特徴は、エジェクタ１０が、コネクタ要素１８を備えており、コネクタ要素１８は、駆動グループ１７およびノズル１５に固定され得るかまたは固定されており、それによって、本体１１に対して自律的なカートリッジ内臓体１９を共に形成するということである。エジェクタ１０が、カートリッジ内臓体１９を本体１１に固定可能である結合手段２０ａ、２０ｂを備え、そこで固定具を取り外すことおよび密閉することができる。
【００２５】
本発明によるコネクタ要素１８は、駆動グループ１７および／またはノズル１５に固定可能である別個の部品であり得るか、または、駆動グループ１７および／またはノズル１５と単一部品であり得る。
【００２６】
実際には、本発明によるエジェクタ１０は、２つの構成要素から構成されており、２つの構成要素は、組み立ておよび分解が容易であり、２つの構成要素は、エジェクタの本体、およびカートリッジ内臓体であり、カートリッジ内臓体は、ノズル、そのシャッタ、および、シャッタの駆動グループを備える。
【００２７】
駆動グループと共にノズルが形成されるという事実により、実際には自律製品がエジェクタ１０のより簡単な取り付けを可能にし、最初にカートリッジ内臓体を組み立て、次にそれを本体１１の隔室１３に取り付けることができる。
【００２８】
同様に、メンテナンスもより容易であり、カートリッジ内臓体を容易に分離し、シャッタ、ノズル、または駆動グループの適合性を容易に確認することができる。
【００２９】
駆動グループ１７は好ましくは、引抜きによって有利に得られる、管状ジャケットを備え、その中に電気ステッパモータの回転子が収容され、その固定子が管状ジャケットの外部に固定される。
【００３０】
好ましくは管状ジャケット１７ａの内部に収容されたスクリュー−ナットスクリュー機構１７ｄは、ロータ１７ｂをシャッタ１６に接続し、ロータの回転に続いてシャッタ１６が穴１５ａに対して同様に移動するようになっている。
【００３１】
有利には、コネクタ要素１８は、
−  有利には摩擦結合によって、該駆動グループ１７および好ましくは管状ジャケット１７ａに結合可能な接続部１８ａと、
−  穴１５ａに対して中心を合わせて、ノズル１５に対してシャッタ１６をガイドすることができる支持部１８ｂと、
−  該接続部１８ａと該支持部１８ｂとを所定の相対位置に保持するように、該接続部１８ａを該支持部１８ｂに強固に接続する接合部１８ｃであって、それは、好ましくは調整可能である、接合部１８ｃと、
を備える。
【００３２】
コネクタ要素１８は、シャッタ１６とノズル１５との間の整合および同軸姿勢の所定の幾何公差を保証するために、接続部１８ａが支持部１８ｂに対して所定の位置を有するように有利に構成される。
【００３３】
ノズル１５とシャッタ１６との正確なセンタリングを得るために、支持部１８ｂとノズル１５が、
−  好ましくは円筒形または円錐形であり、有利には支持部１８ｂから突出するセンタリングカラー３０１と、
−  センタリングカラー３０１に嵌合するための雌型着座部３０２であって、雌型着座部３０２は、好ましくはノズル１５の中に画定されており、支持部１８ｂに支持されているときのシャッタ１６とノズル１５の穴１５ａとの間に同軸拘束を画定するようになっている、雌型着座部３０２と、
を備える。
【００３４】
支持部１８ｂは、有利には、貫通開口部と、穴１５ａに対してそれをガイドするようにシャッタ１６によって係合され得る中央着座部とを有する円盤状である。
【００３５】
支持部１８ｂは、結合部１８ｃと一体的に構成することができ、またはねじ結合によってそこにおよび／またはノズル１５に固定することができる。
【００３６】
コネクタ要素１８は、好ましくは、自由通路を有するように構成されており、自由通路は、口部１４に向かっておよび穴部１５ａに向かって開口しており、口部１４から来てノズル１５の穴１５ａに導かれる冷媒流体によって交差されることができる。
【００３７】
駆動グループ１７は、ノズル１５の穴１５ａが延びる動作方向Ａに沿って、シャッタ１６を移動させるように構成されている。
【００３８】
特に効率的な実施形態では、接合部１８ｃは、少なくとも１つのブラケット２１を備えており、少なくとも１つのブラケット２１は、接続部１８ａから支持部１８ｂへ、動作方向Ａに沿って延びている。
【００３９】
特に機能的に有効であることが実証されている添付の図面に示されている実施形態では、結合部は、有利には、２つのブラケット２１を備えており、２つのブラケット２１は、直線状であり、シャッタ１６のステム１６ｂに対して反対側に位置している。
【００４０】
ブラケット２１は、口部１４から出てノズル１５の穴１５ａに導かれる冷媒流体の流れを妨害しないように、カートリッジ内臓体１９が本体１１に結合されたときに、口部１４の中心軸に対して横方向に位置することが有利である。
【００４１】
結合手段２０ａ、２０ｂは、有利には、
−  ノズル１５を着座部１３ａに密閉して結合させるように構成されている第１の結合手段２０ａと、
−  口部１４が、使用時に、動作方向Ａに沿って、接続部１８ａとノズル１５との間の中間である位置にあるように、接続部１８ａを本体１１に密閉して結合させるように構成されている第２の結合手段２０ｂと、
を備える。
【００４２】
また、結合手段２０ａ、２０ｂは、好ましくは、本体１１上およびカートリッジ内臓体１９上に設けられたセンタリング部品を備え、センタリング部品が、相互に組み合わせられ、カートリッジ内臓体１９が本体１１と組み立てられたときに、それらの相互位置が、既定の形状および位置の両方の交差によって、および、一般的に幾何学的に定められるように構成されている。
【００４３】
図面の添付図に示される実施形態では、センタリング部品は、有利には、
−  好ましくは円筒状で動作方向Ａと同軸である、本体１１の内壁１１ａ、１１ｂと、
−  接続部１８ａおよびノズル１５の対応する外壁１８ｄおよび１８ｅと、
により作られる。
【００４４】
外壁１８ｄおよび１８ｅは、エジェクタの本体に対するカートリッジ内臓体１９のセンタリング拘束を画定するように内壁１１ａおよび１１ｂと相補的である。
【００４５】
さらに、カートリッジ内臓体１９と本体１１との結合の密閉を保証するように、好ましくは、内壁１１ａと１１ｂと外壁１８ｄと１８ｅとの間に挿入されたＯリング１００のような密閉が好ましくは含まれる。
【００４６】
外壁１８ｄは、好ましくは、コネクタ要素１８の接続部１８ａの一部であり、カートリッジ内臓体をそこにねじ止め結合可能なように、本体１１の対応する内壁１１ａに形成されたねじ２０２に対して相補的なねじ２０１が設けられる。
【００４７】
有利には、所定のロックトルクに従ってねじ止めすることによってカートリッジ内臓体１９が本体１１に結合されたとき、ブラケット２１が、口部１４からノズル１５への冷媒流体の通過に起因する流体力学的損失を最小限に抑えるように、口部１４の中心軸線に対して横方向であり、中心軸に対して垂直な平面上にあるように、ねじ２０１および２０２が構成されている。
【００４８】
添付の図面に示されるような、製造が簡単な実施形態では、本体１１は、有利には、
−  該隔室１３が画定された第１の構成要素１１ｃと、冷媒流体のための入口開口部１２ｃおよび好ましくは収束部分Ｂを備える、該導管１２の第１の部分１２ａと、
−  導管１２の第２の部分１２ｂが画定された第１の構成要素１１ｃに密閉結合する第２の構成要素１１ｄと、
を備え、
第２の部分１２ｂは、冷媒流体のための出口開口部１２ｄ、好ましくは、発散部分Ｃを備える。
【００４９】
より詳細には、構成要素１１ｃおよび１１ｄの一方は、好ましくは、構成要素１１ｃおよび１１ｄの他方の一部である雄型コネクタ２２に結合することができる雌型コネクタ２１を有している。
【００５０】
コネクタ２１、２２は、結合されると、該導管１２の第１の部分１２ａと第２の部分１２ｂとが所定の幾何公差を考慮するように整合されるように構成される。
【００５１】
コネクタ２１および２２は、構成要素１１ｃと１１ｄとの間のセンタリング拘束を画定するように円筒形であり、互いに結合されるようにねじを備える。
【００５２】
コネクタ２１および２２は、例えば、ろう付けおよび／または摩擦結合によって互いにモノリシックに有利に固定される。
【００５３】
導管１２は、導管１２の第２の部分１２ｂおよび導管１２の第１の部分１２ａに存在する動作セクションを備え、第１の部分１２ａは、着座部１３ａから第２の部分１２ｂまで延在している。
【００５４】
この動作セクションは、エジェクタ１０が組み立てられたときに動作方向Ａと一致する直線幾何学軸に沿って、着座部１３ａから出口開口部１２ｄまで延びる。
【００５５】
雄型コネクタ２２には、好ましくは、該幾何学軸と同軸の円筒カラー２２ａが設けられており、雌型コネクタ２１には、円筒開口部２１ａが設けられており、円筒開口部２１ａは、円筒カラー２２ａを挿入部として受け入れることができ、また、第１および第２の構成要素１１ｄ内でそれぞれ画定される導管１２の動作セクションの部分間で同軸拘束を画定するために、幾何学軸と同軸である。
【００５６】
本体１１が部品１１ｃおよび１１ｄから構成されているという仕様のために、それぞれの構成要素は、例えば、黄銅片を旋盤加工することによって容易に作製され、次いで、例えばろう付けおよび／または摩擦結合によって他の構成要素に固定されるようなより単純な実施形態である。
【００５７】
本発明は、添付の特許請求の範囲の保護の範囲内にある多くの修正および変形を受け易いものと考えられる。
【００５８】
さらに、すべての詳細は、他の技術的に同等の要素で置き換えることができる。
【００５９】
本発明に係るエジェクタが、上述した課題および目的をどのように達成するかが実証される。
【００６０】
実際には、使用される材料、ならびに偶発的な形態および寸法は、偶発的な要求および最新技術に従って変えることができる。
【００６１】
添付の特許請求の範囲に記載された構造的特徴および技術的特徴の後に符号または参照番号が続く場合、符号または参照番号は、請求項自体の了解度を高める目的でのみ使用されたものであり、結果として、それらは、符号または参照符号によって単なる例としてそれぞれ識別された要素の解釈に対する制限を決して構成するものではない。
【図１】
2017198209.tif 000003
【図２】
2017198209.tif 000004
【図３】
2017198209.tif 000005
【図４】
2017198209.tif 000006
【図５】
2017198209.tif 000007
【図６】
2017198209.tif 000008
【図７】
2017198209.tif 000009
【外国語明細書】
2017198209000001.pdf